(57)【要約】【課題】フェイスガラスの左右の縦辺にて層間変位が異なっていて水平方向の振れ幅が異なっている場合でも、その振れ幅に追従することができるようにフェイスガラスを保持することができるフェイスガラスユニットを提供する。【解決手段】フェイスガラスユニット１は、建物の鉛直方向に沿って延びているマリオン２と、建物の外壁を構成し且つ隣り合う左右の縦辺がマリオン２に沿った位置で突き合わされている複数枚のガラス板からなるフェイスガラス３と、隣り合うフェイスガラスの一方３ａと接着剤７を介して接着される可動側被着ガラス６と、隣り合うフェイスガラスの他方３ｂと接着剤７を介して接着される不動側被着ガラス８と、不動側被着ガラス８を保持し且つマリオン２に対して不動となるように固定されている不動部材９と、可動側被着ガラス６を保持し且つ不動部材９に対して左右方向に可動となるように取り付けられている可動部材１４とを備えている。【選択図】        図１
2018025019.tif 000002
【特許請求の範囲】
【請求項１】
建物の鉛直方向に沿って延びているマリオンと、
前記建物の外壁を構成し且つ隣り合う左右の縦辺が前記マリオンに沿った位置で突き合わされて形成された複数枚のガラス板からなるフェイスガラスと、
隣り合う前記フェイスガラスの一方と接着剤を介して接着される可動側被着ガラスと、
隣り合う前記フェイスガラスの他方と前記接着剤を介して接着される不動側被着ガラスと、
該不動側被着ガラスを保持し且つ前記マリオンに対して不動となるように固定されている不動部材と、
前記可動側被着ガラスを保持し且つ前記不動部材に対して左右方向に可動となるように取り付けられている可動部材とを備えたことを特徴とするフェイスガラスユニット。
【請求項２】
前記不動部材と前記可動部材とはボルトにより接続されていて、
前記ボルトが螺入している孔は、前記不動部材又は前記可動部材のいずれか一方のみが左右方向に延びる長孔で形成されていることを特徴とする請求項１に記載のフェイスガラスユニット。
【発明の詳細な説明】
【技術分野】
【０００１】
本発明は、２枚のフェイスガラスを横並びで保持するためのフェイスガラスユニットに関するものである。
【背景技術】
【０００２】
高層ビルに代表される建物の外壁には、カーテンウォールと称されるパネル材が用いられている。このパネル材として、採光性や美観性に優れたガラスが用いられたガラス外壁が知られている。このガラス外壁は板状のフェイスガラスを横並びにして配設し、互いの突き合わせ部分を固定して形成されている。
【０００３】
このフェイスガラスの固定として、互いのフェイスガラスをサッシの溝に嵌め込むのではなく、フェイスガラスの両端部にシリコーン系接着剤を配して室内側金属枠に接着して固定した支持構造がＳＳＧ構法として広く一般的に知られている。シリコーン系接着剤はガラス同士の接着性に優れているため、ＳＳＧ構法としてはフェイスガラスとシリコーン系接着剤を介して室内側金属枠に接着するために専用の被着ガラスを配し、これにより、安定且つ確実な接着を実現している（例えば特許文献１参照）。
【０００４】
これらのフェイスガラスは建物内側に配されて鉛直方向に延びているマリオンに対して固定される。マリオンは目地部の後側に配されている。各マリオンには隣り合うフェイスガラスと接着するための被着ガラスを保持する機構が備わっている（例えば特許文献２参照）。
【０００５】
しかしながら、地震等が発生した場合には建物上下側において層間変位が生じることがある。マリオンは通常同一の建物躯体に取り付けられているため、建物躯体が変形しても左右のフェイスガラスは同様の動きをする。しかし躯体のつなぎ目を介した位置に配されたフェイスガラスや、外壁にコンクリートパネル等がある場合や建物の床スラブにフェイスガラスの縦辺の一辺のみがコンクリートパネルに突き当たっている場合がある。この場合、そのフェイスガラスの左右の縦辺は異なる範囲で左右方向に移動する。すなわち、フェイスガラスの左右の縦辺で層間変位が異なる場合がある。
【０００６】
通常、このようなフェイスガラスの層間変位は被着ガラスが保持部材内で上下にスライドすることにより吸収しているが、それだけでは対応できない場合がある。このような現象は建物についてある特定の部位にのみ生じるため、その部位は積極的にフェイスガラスを左右方向に移動可能にしておく必要がある。
【先行技術文献】
【特許文献】
【０００７】
【特許文献１】実開平０２−８９１１７号公報
【特許文献２】特開昭６４−１０８４４号公報
【発明の概要】
【発明が解決しようとする課題】
【０００８】
本発明は、上記従来技術を考慮したものであり、フェイスガラスの左右の縦辺にて層間変位が異なっていて振れ幅が異なっている場合でも、その振れ幅に追従することができるようにフェイスガラスを保持することができるフェイスガラスユニットを提供することを目的とする。
【課題を解決するための手段】
【０００９】
前記目的を達成するため、本発明では、建物の鉛直方向に沿って延びているマリオンと、前記建物の外壁を構成し且つ隣り合う左右の縦辺が前記マリオンに沿った位置で突き合わされて形成された複数枚のガラス板からなるフェイスガラスと、隣り合う前記フェイスガラスの一方と接着剤を介して接着される可動側被着ガラスと、隣り合う前記フェイスガラスの他方と前記接着剤を介して接着される不動側被着ガラスと、該不動側被着ガラスを保持し且つ前記マリオンに対して不動となるように固定されている不動部材と、前記可動側被着ガラスを保持し且つ前記不動部材に対して左右方向に可動となるように取り付けられている可動部材とを備えたことを特徴とするフェイスガラスユニットを提供する。
【００１０】
好ましくは、前記不動部材と前記可動部材とはボルトにより接続されていて、前記ボルトが螺入している孔は、前記不動部材又は前記可動部材のいずれか一方のみが左右方向に延びる長孔で形成されている。
【発明の効果】
【００１１】
本発明によれば、マリオンに沿った位置を目地部として左右方向に隣り合うフェイスガラスは、不動部材を介して固定されているフェイスガラスと可動部材を介して取り付けられているフェイスガラスとして形成される。すなわち、左右一対のフェイスガラスは一方が左右に不動であり、他方が左右に可動となるように取り付けられている。これにより、目地部を介して隣り合っているフェイスガラスのうち、一方のみを左右方向に可動させることができる。このため、フェイスガラスの左右の縦辺にて層間変位が異なっていて振れ幅が異なっている場合でも、その振れ幅に追従することができるようにフェイスガラスを保持することができる。
【００１２】
また、不動部材と可動部材とを接続するボルト孔について、不動部材のボルト孔が長孔であれば、可動部材はボルトごと不動部材に対して移動可能となる。一方で、可動部材のボルト孔が長孔であれば、可動部材はそれ単独で左右方向に移動可能となる。いずれにしても、可動部材の左右方向への移動が可能となる。
【図面の簡単な説明】
【００１３】
【図１】本発明に係るフェイスガラスユニットの一例を示す断面図である。
【図２】図１の例の概略斜視図である。
【図３】建物外壁の概略図である。
【図４】本発明に係るフェイスガラスユニットの他の例を示す断面図である。
【図５】図４の例の概略斜視図である。
【発明を実施するための形態】
【００１４】
本発明に係るフェイスガラスユニット１は、建物外壁をガラス板で形成するパネル材の一部として用いられるものである。建物はその鉛直方向に沿って延びているマリオン２を有している。このマリオン２はフェイスガラスユニット１の構成部材の一つである。建物外壁は複数枚のガラス板からなるフェイスガラス３で形成されている。フェイスガラスユニット１には、左右方向に一対形成された２枚のフェイスガラス３（３ａ、３ｂ）が配されている。この左右一対のフェイスガラス３（３ａ、３ｂ）は、隣り合う左右の縦辺４がマリオンに沿った位置に配され、この位置で互いに突き合わされている。左右一対のフェイスガラス３（３ａ、３ｂ）の互いの突き合わせ部分はシリコーン系の止水剤５を介して接着されている。
【００１５】
フェイスガラス１を形成する隣り合うフェイスガラス３の一方のフェイスガラス３ａは、同じガラス材料からなる可動側被着ガラス６と接着剤７を介して接着されている。また、フェイスガラス１を形成する隣り合うフェイスガラス３の他方のフェイスガラス３ｂは、同じガラス材料からなる不動側被着ガラス８と接着剤７を介して接着されている。この接着剤７はガラス同士の接着性能が高いシリコーン系の接着材料で形成されている。なお、可動側被着ガラス６及び不動側被着ガラス８は、短冊形状の長尺の板ガラスで形成してもよいし、多数のガラス片にて形成してもよい。
【００１６】
ここで、不動側被着ガラス８は不動部材９に覆われて保持されている。具体的には不動部材９には不動側被着ガラス８の左右両端を覆い、不動側被着ガラス８を収容可能な収容保持部１０が形成されている。収容保持部１０に収容されて保持された状態では、不動側被着ガラス８は片面が露出している。このとき、不動側被着ガラス８がある程度固定されるように収容保持部１０内にはシートパッキン１１が内壁に沿って貼り付けられていて、不動側被着ガラス８の露出した面と反対側の面はこのシートパッキン１１に接触している。これにより、不動側被着ガラス８は収容保持部１０内にある程度固定されるが、シートパッキン１１の平滑性により上下方向の挙動は許容されながら保持される。
【００１７】
不動部材９はさらに固定部１２を有している。この固定部１２にて、不動部材９はマリオン２に対して不動となるように固定されている。具体的には、固定部１２は薄板となっていて、この薄板部分にボルト１３が貫通し、さらにボルト１３はマリオン２に対して螺着されている。これにより、不動部材９はマリオン２に対して確実に固定されている。なお、マリオン２に対して鉛直方向に長孔を設け、この長孔にボルト１３を螺入させて上下方向に不動部材９が移動するようにしてもよい。これにより、マリオン２の変形に対して不動部材９を追従させることができる。
【００１８】
一方で、可動側被着ガラス６は可動部材１４に覆われて保持されている。この可動部材１４も不動部材９と同様、可動側被着ガラス６を収容して保持するための収容保持部１０を備えている。その保持構造は不動部材９と同様である。可動部材１４はマリオン２に対してではなく、不動部材９に対して取り付けられている。具体的には、可動部材１４は不動部材９に対して左右方向に可動となるように取り付けられている。図１及び図２の例では、可動部材１４を貫通するボルト１５が、不動部材９に設けられた左右方向に延びる長孔１６に螺入されている。可動部材１４はボルト１５及びナット１７により不動部材９に取り付けられる。これにより、ボルト１５は長孔１６に沿って左右方向に移動可能となるので、可動部材１４は不動部材９に対して左右方向に可動となる（図２の矢印方向）。なお、図２ではボルト１５を視認できるように不動部材９の一部を切欠き、さらにナット１７を省略している。
【００１９】
このような構造により、マリオン２に沿った位置を目地部として左右方向に隣り合うフェイスガラス３（３ａ、３ｂ）は、不動部材９を介して固定されているフェイスガラス３ｂと可動部材１４を介して取り付けられているフェイスガラス３ａとして形成される。すなわち、左右一対のフェイスガラス３（３ａ、３ｂ）は一方（フェイスガラス３ｂ）が不動であり、他方（フェイスガラス３ａ）が可動である。しかも可動となるフェイスガラス３ａは縦方向ではなく、左右の横方向に対して移動可能となるように取り付けられている。これにより、目地部を介して隣り合っているフェイスガラス３（３ａ、３ｂ）のうち、一方（フェイスガラス３ａ）のみを左右方向に可動させることができる。このため、フェイスガラス３ａの左右の縦辺にて層間変位が異なっていて振れ幅が異なっている場合でも、その振れ幅に追従することができるようにフェイスガラス３ａを保持することができる。
【００２０】
上記のような効果は以下に説明する新規な課題に対応させるためである。図３に示すように、建物外壁１８があり、そして建物には各階の床構造を形成する中間階スラブ１９がある。図３の例のように、フェイスガラス３は上層躯体２０と下層床２１との間に鉛直方向に配設される。ここで地震等により建物が左右方向に触れた場合、上層躯体２０と下層床２１、あるいは中間階スラブ１９との間にずれが生じる。フェイスガラス３の左右の縦辺４が同一の躯体等（上端は上層躯体２０、下端は下層床２１）に取り付けられている場合（正確にはフェイスガラス３の左右の縦辺４が取り付けられているそれぞれのマリオン２（図１参照）が同一の躯体等に取り付けられている場合）、左右の縦辺４はそれぞれ同一の傾きとなる。上下において、このような同一の層間変位でフェイスガラス３が左右に傾斜すれば図１に示すような被着ガラス８が収容保持部１０内でシートパッキン１１と接触しながら上下スライドすることによってその挙動は吸収できる。なお、中間階スラブ１９の横には隙間が形成されないための塞ぎ材２４が配されている。
【００２１】
しかしながら、左右の縦辺４が取り付けられる左右それぞれのマリオン２が同一の躯体等に取り付けられていない場合がある。例えば図３の例のように、フェイスガラス３ａは図に向かって左側の縦辺４ａが取り付けられるマリオン２は中間階スラブ１９と緊結され、右側の縦辺４ｂが取り付けられるマリオン２が中間階スラブ１９と緊結されていない場合である。このような場合、フェイスガラス３ａの縦辺４ａは中間階スラブ１９の変位に、縦辺４ｂは上層躯体２０の水平方向の変位に影響を受ける。左右の縦辺４ａ、４ｂで水平方向の振れ幅が異なってくるので、接着剤７に大きなせん断力が発生し、その挙動を吸収できないことがある。したがって、フェイスガラス３ａはさらに左右方向に可動できるような機構が必要となる。このような場合に、フェイスガラス３ａの左右側あるいはいずれか一方側は上述した可動部材１４と接続すればよい。
【００２２】
上記のような左右の縦辺４ａ、４ｂで振れ幅が異なる箇所は、中間階スラブ１９が介在する場合の他、上層躯体２０がつなぎ目を介して別々の躯体として形成されている場合や、外壁にコンクリートパネルが配設されている場合等もあり得る。フェイスガラス３ａを積極的に左右方向に可動とさせるのはこのような箇所に配設されるもののみでよい。すなわち、全てのフェイスガラス３が左右方向に可動となるような機構は不要であり、生産性やコスト等を考慮すると必要な部分のフェイスガラス３ａのみを可動とする方が効率がよい。生産性等を考慮すると、マリオン２を介した一方のフェイスガラス３ｂは左右には不動となるように取り付けられている方が好ましい。すなわち、マリオン２を介して一方のフェイスガラス３ｂが左右に不動で、他方のフェイスガラス３ａが左右に可動であることが上記課題を考慮すると好ましい。本発明はこの点に着目してなされたものであり、このような新規な課題を直接的に解決するために創作されたものである。
【００２３】
フェイスガラスユニット１は、図４及び図５に示すような構造でもよい。この例では、可動部材１４に挿入片２２が形成され、この挿入片２２が不動部材９とかみ合っている。挿入片２２はボルト１３と交差する位置まで延びている。したがって、可動部材１４は不動部材９をマリオン２に固定するためのボルト１３を用いて不動部材９に取り付けられている。このような構造にすることで、一つのボルト１３で不動部材９、可動部材１４を支持できる。このとき、挿入片２２には左右方向に延びる長孔２３が形成されていて、この長孔２３に対してボルト１３が螺入されている。このような構造によっても、可動部材１４は不動部材９に対して左右方向に移動可能（図５の矢印方向）に取り付けられる。なお、図５は図２と同様に、ボルト１３を視認できるように不動部材９の一部は切欠いて示している。
【符号の説明】
【００２４】
１：フェイスガラスユニット、２：マリオン、３（３ａ、３ｂ）：フェイスガラス、４：縦辺、５：止水剤、６：可動側被着ガラス、７：接着剤、８：不動側被着ガラス、９：不動部材、１０：収容保持部、１１：シートパッキン、１２：固定部、１３：ボルト、１４：可動部材、１５：ボルト、１６：長孔、１７：ナット、１８：建物外壁、１９：中間階スラブ、２０：上層躯体、２１：下層床、２２：挿入片、２３：長孔、２４：塞ぎ材
【図１】
2018025019.tif 000003
【図２】
2018025019.tif 000004
【図３】
2018025019.tif 000005
【図４】
2018025019.tif 000006
【図５】
2018025019.tif 000007